(57)【要約】【課題】  ネジ、釘等の固定具での取着固定作業を行い易く、外壁面からの出寸法の相違にも対応可能で、施工の際の自由度が向上される雨水ますを提供する。【解決手段】  箱型のます本体１の取り付け面２ａが建物３の被取り付け面４に対向されて固定具５で取着固定される雨水ますであって、ます本体１の取り付け面２ａの両側縁部分に外方へ突出した鍔状フランジ６ａを形成し、この鍔状フランジ６ａの表面から固定具５が差し込まれるようになした同ます本体１と、被取り付け面４に接合される取り付け板部７の両側縁部分に前記鍔状フランジ６ａと同形状のフランジ片８が形成され、このフランジ片８の表面からも固定具５が差し込まれるようになし、同両フランジ片８から前方へ前記鍔状フランジ６ａに外嵌係止し得る形状の係合片９が延設された補助接続支持具１０と、を備えた。【選択図】図１
2006299647.tif 000002
【特許請求の範囲】
【請求項１】
箱型のます本体の背面である取り付け面が建物の外壁面である被取り付け面に対向され、ネジ、釘等の固定具で同被取り付け面に取着固定される雨水ますであって、ます本体の背面である取り付け面の両側縁部分に外方へ突出した鍔状フランジを形成し、この鍔状フランジの表面から固定具が差し込まれるようになした同ます本体と、被取り付け面に接合される取り付け板部の両側縁部分に前記鍔状フランジと同形状のフランジ片が形成され、このフランジ片の表面からも固定具が差し込まれるようになし、同両フランジ片から前方へ前記鍔状フランジに外嵌係止し得る形状の係合片が延設された補助接続支持具と、を備えた雨水ます。
【請求項２】
ます本体の鍔状フランジ、及び、補助接続支持具のフランジ片、の各表面を外方へ向かい建物の被取り付け面側へ傾斜させて固定具が差し込まれる固定具挿入傾斜面部としたことを特徴とする請求項１記載の雨水ます。
【請求項３】
鍔状フランジの固定具挿入傾斜面部の背方が中空状となるように、ます本体の両側板部の後端縁部分を折曲させて同鍔状フランジを形成したことを特徴とする請求項２記載の雨水ます。
【請求項４】
複数の補助接続支持具を備え、選択される個数の同補助接続支持具が取り付け面と被取り付け面との間に介設されるようになしたことを特徴とする請求項１〜３のいずれか一つに記載の雨水ます。
【発明の詳細な説明】
【技術分野】
【０００１】
本願発明は、箱型のます本体の取り付け面が建物の被取り付け面に対向され、ネジ、釘等の固定具で同被取り付け面に取着固定される雨水ますに関するものである。
【背景技術】
【０００２】
従来から、図７に示す如く、箱型のます本体１の背面である取り付け面２が建物３の外壁面である被取り付け面４に対向され、ネジである固定具５で同被取り付け面４に取着固定される雨水ますは知られている（特許文献１：特開平１１−２１０１８２号公報）。この場合、ます本体１が上面開口した箱型で、同上面開口には蓋体１８が取着されている。又、ます本体１の背板部１４が被取り付け面４に固定具５で接合固定され、建物３の屋上から雨水を排水除去する排水エルボ１９が同背板部１４を貫通されて、ます本体１の内部へと導入されている。ます本体１の底部分に形成された落とし口１６には竪樋１７が接続されていて、前記屋上からの雨水は排水エルボ１９からます本体１の内部へと流入され、同落とし口１６から竪樋１７へと排水される。
【０００３】
しかしながら、この従来例である雨水ますにあっては、ます本体１の背板部１４の内側から固定具５がねじ込まれるものであるため、このねじ込み作業に際しては、ます本体１の上面開口に取着される蓋体１８を取り外す必要があり、ます本体１の内部から電動ドライバー等の工具を用いて同ねじ込み作業を行わなければならず、施工が困難で極めて手間取るものとなっていた。
【０００４】
又、前記竪樋１７は建物３の外壁面である被取り付け面４に支持具２０を介して保持され取り付けられており、この支持具２０には出寸法（竪樋１７の外周面と建物３の外壁面である被取り付け面４との間隔寸法）の異なる複数種類のものが存在する。この場合、ます本体１の落とし口１６の位置が決まっているため、同落とし口１６の位置と建物３の外壁面である被取り付け面４との間隔寸法は一定となり、所定の出寸法を有する支持具２０以外は使用することができず、施工の際の自由度が低いものとなっていた。
【特許文献１】特開平１１−２１０１８２号公報
【発明の開示】
【発明が解決しようとする課題】
【０００５】
本願発明は、上記背景技術に鑑みて発明されたもので、その課題は、ネジ、釘等の固定具での取着固定作業を行い易く、外壁面からの出寸法の相違にも対応可能で、施工の際の自由度が向上される雨水ますを提供することである。
【課題を解決するための手段】
【０００６】
上記課題を解決するために、本願発明の雨水ますは、箱型のます本体の背面である取り付け面が建物の外壁面である被取り付け面に対向され、ネジ、釘等の固定具で同被取り付け面に取着固定される雨水ますであって、ます本体の背面である取り付け面の両側縁部分に外方へ突出した鍔状フランジを形成し、この鍔状フランジの表面から固定具が差し込まれるようになした同ます本体と、被取り付け面に接合される取り付け板部の両側縁部分に前記鍔状フランジと同形状のフランジ片が形成され、このフランジ片の表面からも固定具が差し込まれるようになし、同両フランジ片から前方へ前記鍔状フランジに外嵌係止し得る形状の係合片が延設された補助接続支持具と、を備えたものである。
【発明の効果】
【０００７】
本願発明の雨水ますにおいては、ます本体の背面である取り付け面の両側縁部分に外方へ突出した鍔状フランジが形成されており、この鍔状フランジの表面から固定具を差し込んで、同取り付け面を建物の外壁面に対し直接に接合固定することができる。又、補助接続支持具を用い、この補助接続支持具の取り付け板部を建物の外壁面に接合させて、同補助接続支持具の両係合片に前記ます本体の両鍔状フランジを係止させてこのます本体を挟持し、同補助接続支持具のフランジ片の表面から固定具を差し込んで、同ます本体の背面を建物の外壁面に対し同補助接続支持具を介して接合固定することもできる。
【０００８】
すなわち、補助接続支持具を用いるか否かの選択により、建物の外壁面からの出寸法の相違に対応することができ、前記いずれの施工状態でも、固定具がネジの場合はねじ込み作業、釘の場合は打ち込み作業となるが、これ等の固定具での取着固定作業はます本体の外側から容易に行われ、施工の際の自由度が向上されるものである。
【発明を実施するための最良の形態】
【０００９】
図１、２は、本願請求項１〜４全てに対応した一実施形態である雨水ますを示している。この実施形態の雨水ますは、箱型のます本体１の背面である取り付け面２ａが建物３の外壁面である被取り付け面４に対向され、ネジ、釘等の固定具５で同被取り付け面４に取着固定されるものである。そして、ます本体１の背面である取り付け面２ａの両側縁部分に外方へ突出した鍔状フランジ６ａを形成し、この鍔状フランジ６ａの表面から固定具５が差し込まれるようになした（図５参照）同ます本体１と、被取り付け面４に接合される取り付け板部７の両側縁部分に前記鍔状フランジ６ａと同形状のフランジ片８が形成され、このフランジ片８の表面からも固定具５が差し込まれるようになし、同両フランジ片８から前方へ前記鍔状フランジ６ａに外嵌係止し得る形状の係合片９が延設された補助接続支持具１０と、を備えている。
【００１０】
この実施形態の雨水ますでは、ます本体１の鍔状フランジ６ａ、及び、補助接続支持具１０のフランジ片８、の各表面を外方へ向かい建物３の被取り付け面４側へ傾斜させて固定具５が差し込まれる固定具挿入傾斜面部１１ａとしている。この場合、鍔状フランジ６ａの固定具挿入傾斜面部１１ａの背方が中空状となるように、ます本体１の両側板部１２の後端縁部分を折曲させて同鍔状フランジ６ａを形成している。又、複数の補助接続支持具１０を備え、選択される個数の同補助接続支持具１０が取り付け面２ａと被取り付け面４との間に介設されるようになしてもいる。又、ます本体１の背面及び上面開口を取り付け面２ａ、２ｂとし、両取り付け面２ａ、２ｂの周縁部分に連続させて鍔状フランジ６ａ、６ｂを形成している。
【００１１】
なお、この実施形態の雨水ますは、図示しないが、建物の軒天井面や玄関ポーチ屋根の下面等にも施工することができるものである。この場合は、建物の軒天井面或いは玄関ポーチ屋根の下面が被取り付け面となり、同被取り付け面にます本体１の上面開口である取り付け面２ｂが接合固定される。その際、ます本体１の上面開口において形成された鍔状フランジ６ｂの傾斜した表面である固定具挿入傾斜面部１１ｂに、ネジである固定具５が差し込まれて前記被取り付け面にねじ込み固定される。
【００１２】
以下、この実施形態の雨水ますを、より具体的詳細に説明する。まず、ます本体１について説明する。この実施形態のます本体１は、合成樹脂にて一体成形されたり、金属板にて折曲加工されたりして製造され、図３、４に示す如く、上面開口の箱型に形成される。ます本体１は中空の略立方体形状で、前板部１３、背板部１４、両側板部１２、底板部１５で形成され、その上面開口が取り付け面２ｂとなって、前記建物の軒天井面や玄関ポーチ屋根の下面等である被取り付け面に接合固定される。又、ます本体１の背面となる背板部１４の外側面が、後述の建物３の被取り付け面（外壁面）４に接合固定される取り付け面２ａとなる。ます本体１の底板部１５には、円筒状の落とし口１６が一体に垂設されている。
【００１３】
ます本体１の背面である取り付け面２ａと上面開口である取り付け面２ｂとに、その周縁部分に連続して鍔状フランジ６ａ、６ｂが形成されている。この場合、ます本体１の上面開口において、前板部１３及び両側板部１２の上端縁部分が、図３（ｂ）に示す如く、外方へ傾斜するように折曲した形状とされて鍔状フランジ６ｂが形成され、この鍔状フランジ６ｂの表面が外方へ向かい建物の被取り付け面側（この場合は、前記建物の軒天井面や玄関ポーチ屋根の下面側）へ傾斜した固定具挿入傾斜面部１１ｂとなる。このように、ます本体１の周壁（前板部１３及び両側板部１２）の上端縁部分を折曲させて鍔状フランジ６ｂを形成すると、この鍔状フランジ６ｂの固定具挿入傾斜面部１１ｂの背方裏側が中空状となる。
【００１４】
又、ます本体１の背面において、背板部１４の両側縁に連続する両側板部１２の後端縁部分が、図４（ｃ）に示す如く、外方へ傾斜するように折曲した形状とされて鍔状フランジ６ａが形成され、この鍔状フランジ６ａの表面が外方へ向かい建物３の被取り付け面４側（この場合は、後記外壁面側）へ傾斜した固定具挿入傾斜面部１１ａとなる。このように、ます本体１の周壁（両側板部１２）の後端縁部分を折曲させて鍔状フランジ６ａを形成すると、この鍔状フランジ６ａの固定具挿入傾斜面部１１ａの背方裏側が中空状となる。この場合、背板部１４と側板部１２とのなすコーナー部分が外方へ略Ｖ字状に折曲された形状となり、その前面側表面が固定具挿入傾斜面部１１ａとなって、同略Ｖ字状内部は中空状となる。なお、図４（ａ）において、Ｘは固定具５の差し込み位置を示している。
【００１５】
したがって、この実施形態の雨水ますにおいて、補助接続支持具１０を用いずに、ます本体１を建物３の外壁面や軒天井面や玄関ポーチ屋根の下面等の被取り付け面４に対して直接に接合固定する場合、ます本体１の取り付け面２の周縁部分に外方へ突出した鍔状フランジ６が形成されているので、この鍔状フランジ６の表面である固定具挿入傾斜面部１１からネジ、釘等の固定具５を差し込んでこの固定具５により、同取り付け面２を建物３の被取り付け面４に接合固定することができる。固定具５がネジの場合はねじ込み作業、釘の場合は打ち込み作業となるが、これ等の固定具５での取着固定作業はます本体１の外側から容易に行われる。
【００１６】
しかも、前記固定具挿入傾斜面部１１が外方へ向かい建物３の被取り付け面４側へ傾斜していることで、ネジ、釘等の固定具５を斜め外側方から差し込んで取着固定作業を行うことができ、同固定具５での取着固定作業に際して、電動ドライバーや金づち等の工具がます本体１の外側面に当たり難く、同固定具５での取着固定作業を行い易いものである。又、表面が傾斜した鍔状フランジ６、及び、同傾斜した表面（固定具挿入傾斜面部１１）に差し込まれる固定具５が、表側からは目立ち難くて施工外観もスッキリとした良好なものとなる。
【００１７】
又、この実施形態においては、鍔状フランジ６の固定具挿入傾斜面部１１の背方が中空状となるように、ます本体１の周壁を折曲させて同鍔状フランジ６を形成しているので、同ます本体１と鍔状フランジ６とを一体として簡単に製造することができる。しかも、この場合、鍔状フランジ６の固定具挿入傾斜面部１１の背方が中空状であることによって、固定具５をねじ込んだり打ち込んだりする際の抵抗が少なくなり、同固定具５を固定具挿入傾斜面部１１に差し込み易くなる。
【００１８】
又、この実施形態においては、ます本体１の背面及び上面開口を取り付け面２ａ、２ｂとして、両取り付け面２ａ、２ｂの周縁部分に連続させて鍔状フランジ６ａ、６ｂを形成しているので、前記の如く、ます本体１の上面開口である取り付け面２ｂを建物の軒天井面や玄関ポーチ屋根の下面等である被取り付け面に取り付ける施工状態と、後記の如く、ます本体１の背面である取り付け面２ａを建物３の外壁面である被取り付け面４に取り付ける施工状態と、の両施工状態に対応することができ、いずれの場合にも前記作用効果が奏される。
【００１９】
図５は、補助接続支持具１０を用いずに、前記実施形態の雨水ますのます本体１を、建物３の外壁面である被取り付け面４に対して直接に取着固定した別の施工状態を示している。この場合、建物３の外壁面が被取り付け面４となり、同被取り付け面４にます本体１の背面である取り付け面２ａが直接に接合固定されている。ここでは、ます本体１の背面両側に形成された鍔状フランジ６ａの傾斜した表面である固定具挿入傾斜面部１１ａに、ネジである固定具５が斜め外側方から差し込まれて前記被取り付け面４にねじ込み固定される。
【００２０】
又、ます本体１の背板部１４が被取り付け面４に前記固定具５で接合固定され、建物３の屋上から雨水を排水除去する排水エルボ（図示しないが図７の１９を参照）がます本体１の内部へとその上面開口から導入される。そして、ます本体１の底板部１５に形成された落とし口１６には竪樋１７が接続されて、前記屋上からの雨水は排水エルボからます本体１の内部へと流入され、同落とし口１６から竪樋１７へと排水される（図２参照）。なお、それ以外は、前記施工状態と同様の構成となり、前記施工状態におけると同様の作用効果が奏される。
【００２１】
ここで、図６に基づき、この実施形態における補助接続支持具１０について説明する。補助接続支持具１０は金属板や合成樹脂板等で成形され、図６（ｂ）に示す如く、その正面視の形状、大きさが、前記ます本体１の背面の形状、大きさと略合致するように形成されている。補助接続支持具１０の取り付け板部７は、前記ます本体１の背面と略同じ大きさで略正方形状に形成されている。取り付け板部７の両側縁部分には、前記ます本体１の鍔状フランジ６ａと略同形状で外方へ略Ｖ字状に折曲された形状のフランジ片８が形成され、このフランジ片８の前面側表面が固定具挿入傾斜面部１１ａとなって、同略Ｖ字状内部は中空状となる。そして、フランジ片８の先端縁から更に前方へ、前記ます本体１の鍔状フランジ６ａに外嵌係止し得る形状の係合片９が延設されており、同係合片９は外方へ山型に屈曲した形状に形成されて、その上端部分に切欠状部９ａが形成されている。
【００２２】
図１、２は、ます本体１の背面である取り付け面２ａを、建物３の外壁面である被取り付け面４に対し、補助接続支持具１０を介して接合固定した施工状態を示している。図１は、ます本体１と建物３との間に二つの補助接続支持具１０を介在させた施工状態であり、図２は、ます本体１と建物３との間に補助接続支持具１０を一つだけ介在させた施工状態である。建物３の被取り付け面４に補助接続支持具１０を取り付けるに際しては、取り付け板部７を同被取り付け面４に当接させ、その両側のフランジ片８の表面である固定具挿入傾斜面部１１ａからネジ、釘等の固定具５を差し込んで、この固定具５により取着固定することができ、その際、固定具５がネジの場合はねじ込み作業、釘の場合は打ち込み作業となるが、これ等の固定具５での取着固定作業は外側方から容易に行われる。
【００２３】
又、この場合も、前記固定具挿入傾斜面部１１ａが外方へ向かい建物３の被取り付け面４側へ傾斜していることで、釘等の固定具５を斜め外側方から差し込んで取着固定作業を行うことができ、同固定具５での取着固定作業に際して、電動ドライバーや金づち等の工具がます本体１の外側面に当たり難く、同固定具５での取着固定作業を行い易いものである。しかも、フランジ片８の固定具挿入傾斜面部１１ａの背方が中空状であることによって、固定具５をねじ込んだり打ち込んだりする際の抵抗が少なくなり、同固定具５を固定具挿入傾斜面部１１ａに差し込み易くなる。
【００２４】
図１に示す如く、二つの補助接続支持具１０を介在させる場合、補助接続支持具１０同士を接合させることになる。この場合、ます本体１側の補助接続支持具１０のフランジ片８に、建物３側の補助接続支持具１０の係合片９が外嵌係止される。又、補助接続支持具１０にます本体１を接合させる場合も、前記の場合と同様に、ます本体１の鍔状フランジ６ａに補助接続支持具１０の係合片９が外嵌係止されるが、その際、同ます本体１の上面開口側の鍔状フランジ６ｂが同係合片９の上端部分の前記切欠状部９ａに当止されて位置決め支持される。
【００２５】
したがって、この実施形態の雨水ますにおいては、図５に示す如く、ます本体１の背面である取り付け面２ａの両側縁部分に外方へ突出した鍔状フランジ６ａが形成されており、この鍔状フランジ６ａの表面から固定具５を差し込んで、同取り付け面２ａを建物３の外壁面である被取り付け面４に対し直接に接合固定することができる。又、図１、２に示す如く、補助接続支持具１０を用い、この補助接続支持具１０の取り付け板部７を建物３の外壁面である被取り付け面４に接合させて、同補助接続支持具１０の両係合片９に前記ます本体１の両鍔状フランジ６ａを係止させてこのます本体１を挟持し、同補助接続支持具１０のフランジ片８の表面から固定具５を差し込んで、同ます本体１の背面を建物３の外壁面に対し同補助接続支持具１０を介して接合固定することもできる。
【００２６】
すなわち、補助接続支持具１０を用いるか否かの選択によって、建物３の外壁面からの出寸法の相違に対応することができ、前記いずれの施工状態でも、固定具５がネジの場合はねじ込み作業、釘の場合は打ち込み作業となるが、これ等の固定具５での取着固定作業はます本体１の外側から容易に行われ、施工の際の自由度が向上される。しかも、この場合に、複数の補助接続支持具１０を備え、選択される個数の同補助接続支持具１０が取り付け面２ａと被取り付け面４との間に介設されるようになしているため、図１、２に示す如く、介設される同補助接続支持具１０の個数を変更することによって、より自由度の高い出寸法の調整を行うことができる。
【００２７】
なお、この実施形態の雨水ますにおいては、図５に示す如く、建物３の外壁面にます本体１を直接に接合固定した施工状態の場合には出寸法が３０ｍｍとなり、図２に示す如く、同外壁面とます本体１との間に補助接続支持具１０を一つ介設した施工状態の場合には出寸法が４５ｍｍとなり、同外壁面とます本体１との間に補助接続支持具１０を二つ介設した施工状態の場合には出寸法が６０ｍｍとなる。
【００２８】
又、この実施形態の雨水ますにおいては、ます本体１の鍔状フランジ６、及び、補助接続支持具１０のフランジ片８、の各表面を外方へ向かい建物３の被取り付け面側へ傾斜させて固定具５が差し込まれる固定具挿入傾斜面部１１としているので、前記いずれの施工状態でも、ネジ、釘等の固定具５を斜め外側方から差し込んで取着固定作業を行うことができ、同固定具５での取着固定作業に際して、電動ドライバーや金づち等の工具がます本体１の外側面に当たり難く、同固定具５での取着固定作業を行い易いものである。
【００２９】
しかも、この場合、鍔状フランジ６ａの固定具挿入傾斜面部１１ａの背方が中空状となるように、ます本体１の両側板部１２の後端縁部分を折曲させて同鍔状フランジ６ａを形成しているため、同ます本体１と鍔状フランジ６ａとを一体として簡単に製造することができ、同鍔状フランジ６ａの固定具挿入傾斜面部１１ａの背方が中空状であることによって、固定具５をねじ込んだり打ち込んだりする際の抵抗が少なくなり、同固定具５を固定具挿入傾斜面部１１ａに差し込み易くなる。
【図面の簡単な説明】
【００３０】
【図１】本願発明の一実施形態である雨水ますの施工状態を示す平面図。
【図２】同雨水ますの異なる施工状態を示す側面図。
【図３】同雨水ますのます本体を示す（ａ）は平面図、（ｂ）は（ａ）におけるＡ−Ａ断面図。
【図４】同雨水ますのます本体を示す（ａ）は側面図、（ｂ）は左半分正面図、（ｃ）は（ａ）におけるＢ−Ｂ断面図。
【図５】同雨水ますのます本体の更に異なる施工状態を示す要部横断面図。
【図６】同雨水ますの補助接続支持具を示す（ａ）は平面図、（ｂ）は正面図、（ｃ）は側面図。
【図７】従来例である雨水ますの施工状態を示す縦断面図。
【符号の説明】
【００３１】
１  ます本体
２  取り付け面
２ａ  上面開口である取り付け面
２ｂ  背面である取り付け面
３  建物
４  被取り付け面
５  固定具
６  鍔状フランジ
６ａ  上面開口側の鍔状フランジ
６ｂ  背面側の鍔状フランジ
７  取り付け板部
８  フランジ片
９  係合片
１０  補助接続支持具
１１  固定具挿入傾斜面部
１１ａ  背面側の固定具挿入傾斜面部
１１ｂ  上面開口側の固定具挿入傾斜面部
１２  側板部
【図１】
2006299647.tif 000003
【図２】
2006299647.tif 000004
【図３】
2006299647.tif 000005
【図４】
2006299647.tif 000006
【図５】
2006299647.tif 000007
【図６】
2006299647.tif 000008
【図７】
2006299647.tif 000009